(57)【要約】【課題】  額を保持部の一部として使用して映像を提供する表示装置であって、額の形状を考慮した表示装置を提供すること。【解決手段】  本体部１１と、本体部１１に設けられた開口部でありこの開口部を介して映像が観察可能な開口部４１（４２）と、本体部１１に設けられた額当接部であり開口部４１（４２）を介して映像を観察するユーザの額に当接する額当接部１２とを備える。額に当接する額当接部１２の当接面の上部は下部よりも開口部４１（４２）の開口面に対して張り出しており、且つ当接面は、当接面に所定の半径を有する球体を押し当てた場合に、球体面に沿う形状を有している。【選択図】  図４
2007060152.tif 000002
【特許請求の範囲】
【請求項１】
本体部と、
前記本体部に設けられた開口部であり、当該開口部を介して映像が観察可能な開口部と、
前記本体部に設けられた額当接部であり、前記開口部を介して映像を観察するユーザの額に当接する額当接部とを備え、
前記額に当接する額当接部の当接面の上部は下部よりも前記開口部の開口面に対して張り出しており、且つ当該当接面は、当該当接面に所定の半径の曲面を有する物体を押し当てた場合に、当該物体の曲面に沿う形状を有していることを特徴とする表示装置。
【請求項２】
前記所定の半径は、１１０mm〜１３０mmの何れかの長さを有することを特徴とする請求項１に記載の表示装置。
【請求項３】
前記当接面は前記開口面に対して４〜１０度の何れかの角度で下向きであることを特徴とする請求項１に記載の表示装置。
【請求項４】
前記額当接部は、ウレタンフォーム、発泡ウレタンフォームを含む弾性体で構成されていることを特徴とする請求項１に記載の表示装置。
【請求項５】
前記額当接部は、直方体の形状を有するテープ状の部材であり、
当該部材を前記本体部に張り付けた場合に、前記額に当接する当該部材の当接面の上部が下部よりも前記開口部の開口面に対して張り出し、且つ当該当接面が、当該当接面に所定の半径を有する球体を押し当てた場合に、当該球体面に沿う形状を有するように、前記部材を張り付ける前記本体部側の面が構成されていることを特徴とする請求項１に記載の表示装置。
【請求項６】
前記物体が、球体、円錐体、又は、円柱体の何れかであることを特徴とする請求項１に記載の表示装置。
【発明の詳細な説明】
【技術分野】
【０００１】
本発明は、表示装置に関するものである。
【背景技術】
【０００２】
複合現実感提示システムで使用する映像表示装置は、頭部に装着するタイプと手にもって覗き込むタイプがあり、正しく観察するために、頭部の一部あるいは複数部位を使用して映像表示装置を保持する提案がされている。特許文献１ではＨＭＤの頭部保持において、額の当たる部分を額の曲面に沿うように湾曲させて形成し、位置決めと重量支持とを行う技術が開示されている。
【特許文献１】特開平８−８８８１６号公報
【発明の開示】
【発明が解決しようとする課題】
【０００３】
複合現実感提示システムで使用者が快適に映像を観察するためには、使用者の目の位置に対し、映像表示装置を正しく保持する必要がある。そのため、映像表示装置には、頭部に装着するための装着機構を有した頭部装着型映像表示装置や、額等の顔の一部に当接して映像表示装置を安定させる覗き込み型の映像表示装置がある。
【０００４】
しかし、額を保持部の一部として使用して映像を観察するタイプの映像表示装置で、個人差のある頭部形状でも同等の使用感を得るためには、当接位置を規定する必要がある。しかしそのためには複雑な形状を有したもの、額当接部分を可動にした等、簡単な構成にすることが困難であった。
【０００５】
本発明は、以上の問題に鑑みてなされたものであり、額を保持部の一部として使用して映像を提供する表示装置であって、額の形状を考慮した表示装置を提供することを目的とする。
【課題を解決するための手段】
【０００６】
本発明の目的を達成するために、例えば、本発明の表示装置は以下の構成を備える。
【０００７】
即ち、本体部と、
前記本体部に設けられた開口部であり、当該開口部を介して映像が観察可能な開口部と、
前記本体部に設けられた額当接部であり、前記開口部を介して映像を観察するユーザの額に当接する額当接部とを備え、
前記額に当接する額当接部の当接面の上部は下部よりも前記開口部の開口面に対して張り出しており、且つ当該当接面は、当該当接面に所定の半径の曲面を有する物体を押し当てた場合に、当該物体の曲面に沿う形状を有していることを特徴とする。
【発明の効果】
【０００８】
本発明の構成により、額を保持部の一部として使用して映像を提供する表示装置であって、額の形状を考慮した表示装置を提供することができる。
【発明を実施するための最良の形態】
【０００９】
以下添付図面を参照して、本発明を好適な実施形態に従って詳細に説明する。
【００１０】
［第１の実施形態］
図１は、ユーザが本実施形態に係る映像表示装置を手に保持し、この映像表示装置が提供する映像を観察している様子を示す図である。
【００１１】
同図において１１は映像表示装置の本体部で、ユーザは同図に示す如く本体部１１を手に保持し、この本体部１１に設けられている後述の開口部を介して映像を観察する。開口部について詳しくは後述するが、右目用と左目用とあり、ユーザは自身の右目で右目用の開口部を介して映像を観察するし、左目で左目用の開口部を介して映像を観察する。これにより、このユーザに立体的な映像を提示することができる。
【００１２】
この本体部１１はケーブル１３を介してＰＣ（パーソナルコンピュータ）やＷＳ（ワークステーション）等のコンピュータに接続されている。上記開口部を介して観察する映像はこのコンピュータにより生成され、このケーブル１３を介して本体部１１に入力される。上述の通り、本体部１１には右目用の開口部と左目用の開口部とがあり、コンピュータからは右目用開口部を介して観察する映像、左目用開口部を介して観察する映像が、ケーブル１３を介して入力される。
【００１３】
１２は本体部１１に設けられた額当接部で、ユーザが上記開口部を介して映像を観察する際に、このユーザの額に当接するものである。従って、ユーザは、額当接部１２を自身の額に当て、自身の眼前に開口部が位置するように本体部１１を手に保持することで、開口部を介して提供される映像を観察することができる。
【００１４】
図３は映像表示装置１１の上面図であり、図４は映像表示装置１１の正面図（ユーザの顔側から見た図）であり、図５は額当接面とユーザとの関係を説明するための図である。なお、それぞれの図において図１と同じ部分については同じ番号を付けており、その説明は省略する。
【００１５】
図４において４１，４２はそれぞれ左目用の映像を提供するための開口部、右目用の映像を提供するための開口部である。即ち、それぞれの開口部４１，４２の奥側（紙面奥側）には、コンピュータが生成した左目用の映像、右目用の映像をそれぞれの開口部４１、４２を介して提供するための機構が設けられている。
【００１６】
額当接部１２は上述の通り、ユーザが上記開口部を介して映像を観察する際に、このユーザの額に当接するものであるから、それぞれの開口部の上方に設けられている。この額当接部１２はウレタンフォーム、発泡ウレタンフォーム等の弾性体で構成されているものである。
【００１７】
ここで、本実施形態の特徴である額当接部１２の形状について説明する。
【００１８】
図７は額当接部１２の形状を説明する図である。図７（ｂ）に示す如く、額当接部１２においてユーザの額に当接する面（図７（ａ）において斜線で示した部分で、以下、額当接面と呼称する）の上部は下部よりも開口部４１（４２）の開口面７１に対して張り出している。即ち図７（ａ）、（ｂ）、（ｃ）に示す如く、額当接部１２の下方よりも上方ほど開口面７１に対してより張り出している。図７（ｂ）では最上部の張り出し量はｙ、最下部の張り出し量はｘ（＜ｙ）となっている。
【００１９】
その結果、図７（ｃ）に示す如く、額当接部１２の最上部と最下部とで接する面７３は、開口面７１に対してある角度θで下向きとなるが、この角度θは、４〜１０度の何れかの角度であることが好ましい。
【００２０】
また、額当接面の形状は、図７（ｃ）に示した面７３に垂直な方向から額当接部１２に１１０〜１３０ｍｍの何れかの半径を有する球体を押し当てた場合に、この球体面に沿う形状を有している。
【００２１】
従って図３に示した上面図に示す如く、額当接部１２の額当接面は、球体面に沿うように水平方向に湾曲しているし、図７に示す如く、額当接部１２の額当接面は、球体面に沿うように鉛直方向に湾曲している。また、額当接面の形状は、同様に、底面部が１１０〜１３０ｍｍの何れかの半径を有する円錐体又は円柱体を押し当てた場合には、この円錐面又は円柱面に沿う形状を有していても良い。この場合、同様に、額当接部１２の額当接面は、円錐面又は円柱面に沿うように鉛直方向に湾曲することになる。更に、円錐体の場合は円錐の頂角が上述の４〜１０度に相当し、円柱体の場合は円柱を傾けた角度が上述の４〜１０度に相当する。
【００２２】
図５では、ユーザが、このような額当接部１２を有する映像表示装置の本体部１１を手に保持し、開口部４１（４２）を介して映像を観察している様子を示している。上述の通り、額当接部１２の額当接面の上部は下部よりも開口面７１に対して張り出しているので、同図点線５１で示す如く、額当接部１２の額当接面はユーザの額の形状に合うことになる。
【００２３】
［第２の実施形態］
本実施形態では、額当接部１２として、直方体の形状を有するテープ状の部材を用いる。そしてこのような額当接部１２を、ユーザが開口部４１（４２）を介して映像を観察する際に、このユーザの額に当接する位置に張り付ける。
【００２４】
この部材を本体部１１に張り付けた場合に、ユーザの額に当接する部材の当接面の上部が下部よりも開口面７１に対して張り出している必要がある。更には、当接面の形状が図７（ｃ）に示した面７３に垂直な方向からこの額当接面に１１０〜１３０ｍｍの何れかの半径を有する球体を押し当てた場合に、この球体面に沿う形状を有するようにこの部材を張り付ける本体部１１側の面が構成されている必要がある。なお、第１の実施形態の場合と同様に、円錐体又は円柱体の場合でも良い。
【００２５】
図６は、このような本体部１１に、額当接部１２としてテープ状の部材６３を張り付ける様子を示す図で、部材６３を張り付けることで、６２に示す如く、額当接部を形成することができる。テープ状の部材６３を張り付けた本体部１１側の面は、上述のような構成を有しているが故に、ユーザが本体部１１を手に保持し、開口部４１（４２）を介して映像を観察する際、額当接部の額当接面の上部は下部よりも開口面７１に対して張り出している。これにより、額当接部の額当接面はユーザの額の形状に合うことになる。
【００２６】
なお、上記何れの実施形態も、映像表示装置の形態は特に限定するものではない。即ち、映像表示装置としては手に保持するタイプのもの以外にも、例えば、頭部装着型のものであっても良い。図２は、頭部装着型表示装置とこれに設けられた額当接部を示す図である。同図において２１は上記本体部１１に相当する表示装置、２２は額当接部、２３はこの表示装置をユーザの頭部に固定するための固定部である。
【００２７】
この場合、上記開口部は、表示装置２１が有する液晶画面に相当する。
【００２８】
以上の各実施形態によれば、個人差のある頭部形状でも同等の保持姿勢を確保することができ、個人差なく同等の使用感で映像表示装置を使用することが可能となる。
【００２９】
額当接部に弾性体のパッドを有した場合でも、パッド形状を同様に矩形とすることが出来るため、パッドの加工が簡単となり、消耗品として考慮した場合でも、材料の歩留まり向上、低コストでの加工が可能となる。
【図面の簡単な説明】
【００３０】
【図１】ユーザが本実施形態に係る映像表示装置を手に保持し、この映像表示装置が提供する映像を観察している様子を示す図である。
【図２】頭部装着型表示装置とこれに設けられた額当接部を示す図である。
【図３】映像表示装置１１の上面図である。
【図４】映像表示装置１１の正面図（ユーザの顔側から見た図）である。
【図５】額当接面とユーザとの関係を説明するための図である。
【図６】本体部１１に、額当接部１２としてテープ状の部材６３を張り付ける様子を示す図である。
【図７】額当接部１２の形状を説明する図である。
【図１】
2007060152.tif 000003
【図２】
2007060152.tif 000004
【図３】
2007060152.tif 000005
【図４】
2007060152.tif 000006
【図５】
2007060152.tif 000007
【図６】
2007060152.tif 000008
【図７】
2007060152.tif 000009